(57)【要約】【課題】テレビジョン受信装置において、画面にノイズ障害が現れることを防止する。【解決手段】ＡＧＣ回路は、チャンネル切換時の電波レベルの変動に対応する動作が速いスキャンモードと、チャンネル一定時の電波レベルの変動に対応する動作が遅いトラッキングモードとに切換可能になっている。マイコンは、ＡＧＣ電圧を監視し、チャンネルが切換えられたときに（Ｓ１でＹＥＳ）、そのチャンネルにおけるＡＧＣ電圧の平均値Ｖａをテーブルから読出し（Ｓ２）、現在のＡＧＣ電圧と平均電圧値Ｖａを比較し（Ｓ３）、変動幅Ｇが予め設定された値よりも大きい場合には（Ｓ４でＹＥＳ）、モード切換信号を送信してＡＧＣ回路をスキャンモードに切換える（Ｓ５）。大きくなければ（Ｓ４でＮＯ）、トラッキングモードを維持する（Ｓ６）。ＡＧＣ回路が、電波レベルの大きな変動に対応できるスキャンモードに切換えられるので、ノイズが現れることが防止される。【選択図】図２
2012205230.tif 000002
【特許請求の範囲】
【請求項１】
テレビジョン放送電波を受信し、ユーザにより選択されたチャンネルの電波を中間周波数のＩＦ信号に変換するチューナと、
前記チューナからのＩＦ信号を受信してビデオ信号に変換する中間周波回路と、
前記チューナに対して制御電圧（以下、ＡＧＣ電圧）を送信してチューナの利得を制御するＡＧＣ回路と、を備え、
前記ＡＧＣ回路は、チャンネル切換時の電波レベルの変動に対応するためのＡＧＣ動作が速いモード（以下、スキャンモード）と、チャンネル一定時の電波レベルの変動に対応するためのＡＧＣ動作が遅いモード（以下、トラッキングモード）と、に切換可能になったテレビジョン受信装置において、
前記ＡＧＣ回路が送信するＡＧＣ電圧を監視するＡＧＣ電圧監視手段を備え、
前記ＡＧＣ電圧監視手段は、チャンネル一定時に、そのチャンネルにおける平均のＡＧＣ電圧に対する現在のＡＧＣ電圧の変動幅が予め設定された値よりも大きくなったときに、前記ＡＧＣ回路をスキャンモードに切換えることを特徴とするテレビジョン受信装置。
【請求項２】
前記ＡＧＣ電圧監視手段は、
チャンネルが一定のときの前記ＡＧＣ電圧の平均値を検出する平均電圧検出手段と、
前記平均電圧検出手段が検出した平均値を記憶する平均電圧記憶手段と、
前記平均電圧記憶手段に記憶されたＡＧＣ電圧の平均値と、現在のＡＧＣ電圧の値を比較し、変動幅が予め設定された値よりも大きいときに、前記ＡＧＣ回路に対してスキャンモードへの切換信号を送信する切換信号送信手段と、を備えることを特徴とする請求項１に記載のテレビジョン受信装置。
【請求項３】
前記ＡＧＣ回路は、前記中間周波回路に対しても制御電圧（ＡＧＣ電圧）を送信して中間周波回路の利得を制御するものであり、
前記ＡＧＣ電圧監視手段は、前記中間周波回路に対するＡＧＣ電圧を監視することを特徴とする請求項１又は請求項２に記載のテレビジョン受信装置。
【発明の詳細な説明】
【技術分野】
【０００１】
本発明は、テレビジョン受信装置に関する。
【背景技術】
【０００２】
テレビジョン受信装置は、テレビジョン放送電波を受信し、ユーザにより選択されたチャンネルの電波を中間周波数のＩＦ信号に変換するチューナと、チューナからのＩＦ信号を受信してビデオ信号に変換する中間周波回路と、チューナに対して制御電圧（以下、ＡＧＣ電圧）を送信してチューナの利得を制御するＡＧＣ回路と、を備えている。
【０００３】
テレビジョン放送電波の強度は、チャンネルにより異なっており、ＡＧＣ回路は、異なった強度の電波が受信されたときに、チューナにおける利得を制御し、チューナから出力されるＩＦ信号の振幅が略一定になるように動作して、テレビ画面がいずれのチャンネルでも安定した状態になるようにする。
【０００４】
一方、テレビジョン放送電波の変動の態様は一様ではない。具体的には、チャンネルの切換時などには、変動幅が大きく、変動速度も速いが、チャンネルが一定のときには、変動幅が小さく、変動速度も遅い。
【０００５】
上記の事情に対応するために、テレビジョン受信装置のＡＧＣ回路は、一般的に、ＡＧＣ動作が速いモード（以下、スキャンモード）と、ＡＧＣ動作が遅いモード（以下、トラッキングモード）とに切換可能になっている。具体的には、チャンネルの切換時には、ＡＧＣ回路を追従性の高いスキャンモードに切換えて、電波強度が大きく、かつ速く変動しても、テレビ画面が不安定にならないようになっている。逆に、チャンネルが一定のときには、ＡＧＣ動作が速いままでは、電波強度の僅かな変動に対して過敏に対応してテレビ画面の安定性が低下するので、追従性の低いトラッキングモードに切換えるようになっている。
【０００６】
なお、ユーザが選択したチャンネルに隣接するチャンネルがある場合に、隣接チャンネルの映像の映りこみや、画面ノイズの発生が生じる問題がある。この問題を解決するために、ユーザが選択したチャンネルに隣接チャンネルがあることをデータテーブルから判断した場合には、ＡＧＣ回路が制御動作を開始するための判断基準としての検波出力の値をより低い値とするテレビジョンが知られている（例えば、特許文献１参照）。このテレビジョンでは、ユーザが選択したチャンネルに隣接チャンネルがあると判断した場合に、電波強度が比較的小さい段階からＡＧＣ回路が制御動作を開始するので、画面ノイズの発生などが防止される。
【０００７】
また、アンテナで受信した放送電波を増幅器で増幅した後にチューナに送る回路と、増幅せずにそのままチューナに送る回路と、を備え、ＡＧＣ電圧の値に応じて上記２つの回路を切換えて使い分けるようになった移動受信用放送受信機が知られている（例えば、特許文献２参照）。
【先行技術文献】
【特許文献】
【０００８】
【特許文献１】特許第４１１７４９０号公報
【特許文献２】特開２００６−２６１７１０号公報
【発明の概要】
【発明が解決しようとする課題】
【０００９】
ところで、ヨーロッパの国境付近などにおいて、異なった国の複数の放送電波源が比較的接近している場所では、周波数の近い複数のチャンネルが混在する場合があり、一方のチャンネルが他方のチャンネルの影響を受けて、テレビ画面にビートノイズが現れる場合がある。
【００１０】
ＳＡＷフィルタなどの高性能の帯域フィルタを備えたチューナを用いる場合には、上記不具合の発生が抑えられるが、高性能の帯域フィルタを備えたチューナを採用することにより、その分だけコストダウンが難しくなる。換言すると、コストダウンを図るために、帯域フィルタを備えない比較的安価なチューナを用いる場合には、上記不具合が発生し易い。一方、コストダウンのために、帯域フィルタを備えたチューナを用いず、妨害電波による影響を、チューナよりも後段においてソフト的に抑制するようになったテレビジョン受信装置があるが、ソフト的な対応だけでは上記不具合を確実に解消することが難しかった。
【００１１】
ここで、本発明者は、比較的周波数の近い放送電波が混在するときには、電波強度の変動幅や変動の速度が、通常時よりも大きくなることに気付き、従来、チャンネル一定時にはトラッキングモードに固定されているＡＧＣ回路の動作モードを、敢えてスキャンモードに切換えることに思い至った。そして、実験の結果、帯域フィルタを備えない安価なチューナを用い、チューナにおける妨害電波をカットする機能が十分ではない場合であっても、ＡＧＣ回路の動作モードを制御することにより、テレビ画面にビートノイズなどの障害が発生しないようにできることを確認し、本発明を創案するに至った。
【００１２】
本発明は、上記課題を解決するものであり、チューナと、中間周波回路と、ＡＧＣ回路とを備え、ＡＧＣ回路は、スキャンモードと、トラッキングモードとに切換可能になったテレビジョン受信装置において、チャンネル一定時に妨害電波が生じた場合に、ＡＧＣ回路の動作モードを切換えることにより、画面にビートノイズなどの障害が現れることを防止することができるテレビジョン受信装置を提供することを目的とする。
【課題を解決するための手段】
【００１３】
上記課題を解決するために、請求項１の発明は、テレビジョン放送電波を受信し、ユーザにより選択されたチャンネルの電波を中間周波数のＩＦ信号に変換するチューナと、前記チューナからのＩＦ信号を受信してビデオ信号に変換する中間周波回路と、前記チューナに対して制御電圧（以下、ＡＧＣ電圧）を送信してチューナの利得を制御するＡＧＣ回路と、を備え、前記ＡＧＣ回路は、チャンネル切換時の電波レベルの変動に対応するためのＡＧＣ動作が速いモード（以下、スキャンモード）と、チャンネル一定時の電波レベルの変動に対応するためのＡＧＣ動作が遅いモード（以下、トラッキングモード）と、に切換可能になったテレビジョン受信装置において、前記ＡＧＣ回路が送信するＡＧＣ電圧を監視するＡＧＣ電圧監視手段を備え、前記ＡＧＣ電圧監視手段は、チャンネル一定時に、そのチャンネルにおける平均のＡＧＣ電圧に対する現在のＡＧＣ電圧の変動幅が予め設定された値よりも大きくなったときに、前記ＡＧＣ回路をスキャンモードに切換えることを特徴とする。
【００１４】
請求項２の発明は、請求項１に記載の発明において、前記ＡＧＣ電圧監視手段は、チャンネルが一定のときの前記ＡＧＣ電圧の平均値を検出する平均電圧検出手段と、前記平均電圧検出手段が検出した平均値を記憶する平均電圧記憶手段と、前記平均電圧記憶手段に記憶されたＡＧＣ電圧の平均値と、現在のＡＧＣ電圧の値を比較し、変動幅が予め設定された値よりも大きいときに、前記ＡＧＣ回路に対してスキャンモードへの切換信号を送信する切換信号送信手段と、を備えることを特徴とする。
【００１５】
請求項３の発明は、請求項１又は請求項２に記載の発明において、前記ＡＧＣ回路は、前記中間周波回路に対しても制御電圧（ＡＧＣ電圧）を送信して中間周波回路の利得を制御するものであり、前記ＡＧＣ電圧監視手段は、前記中間周波回路に対するＡＧＣ電圧を監視することを特徴とする。
【発明の効果】
【００１６】
請求項１の発明によれば、ＡＧＣ電圧監視手段が、チャンネル一定時に、そのチャンネルにおける平均のＡＧＣ電圧に対する現在のＡＧＣ電圧の変動幅が大きくなったことを検出したときに、ＡＧＣ回路をスキャンモードに切換えるので、切換えられたチャンネルに隣接したチャンネルの妨害電波が生じてもテレビ画面にビートノイズなどの障害が現れることを防止することができる。
【００１７】
請求項２の発明によれば、ＡＧＣ電圧監視手段が、チャンネルが一定のときのＡＧＣ電圧の平均値を検出する平均電圧検出手段と、平均電圧検出手段が検出した平均値を記憶する平均電圧記憶手段と、平均電圧記憶手段に記憶されたＡＧＣ電圧の平均値と、現在のＡＧＣ電圧の値を比較し、変動幅が予め設定された値よりも大きいときに、ＡＧＣ回路に対してスキャンモードへの切換信号を送信する切換信号送信手段と、を備えるので、切換えられたチャンネルに隣接したチャンネルの妨害電波が生じてもテレビ画面にビートノイズなどの障害が現れることを防止することができる。
【００１８】
請求項３の発明によれば、ＡＧＣ回路が、中間周波回路に対しても制御電圧（ＡＧＣ電圧）を送信して中間周波回路の利得を制御するものにおいて、ＡＧＣ電圧監視手段が、中間周波回路に対するＡＧＣ電圧を監視し、チャンネル一定時に、そのチャンネルにおける平均のＡＧＣ電圧に対する現在のＡＧＣ電圧の変動幅が大きくなったときに、ＡＧＣ回路をスキャンモードに切換えるので、切換えられたチャンネルに隣接したチャンネルの妨害電波が生じてもテレビ画面にビートノイズなどの障害が現れることを防止することができる。
【図面の簡単な説明】
【００１９】
【図１】本発明の一実施形態に係るテレビジョン受信装置のブロック図。
【図２】同テレビジョン受信装置におけるＡＧＣ回路のモード切換手順を示すフローチャート。
【図３】同テレビジョン受信装置におけるＡＧＣ電圧の変動とＡＧＣ回路の動作モードの関係を示す図。
【発明を実施するための形態】
【００２０】
以下、本発明の一実施形態に係るテレビジョン受信装置について、図１乃至図３を参照して説明する。本実施形態のテレビジョン受信装置１は、テレビジョン放送電波をアンテナ２により受信し、受信した電波（ＲＦ信号）の中からユーザにより選択されたチャンネルの電波（ＲＦ信号）に同調して増幅し、ＩＦ信号として出力するチューナ３と、チューナ３からのＩＦ信号をビデオ信号に変換して出力するＩＦ回路４と、ＲＦ・ＡＧＣ電圧５及びＩＦ・ＡＧＣ電圧６を出力してチューナ３とＩＦ回路４の利得を制御するＡＧＣ回路７と、を備える。
【００２１】
ビデオ信号は、画像信号処理回路８を介して液晶パネル又はＣＲＴなどのディスプレイ９に入力され、映像として表示される。チューナ３は、ＳＡＷフィルタなどの高性能の帯域フィルタを備えないものであり、妨害電波を確実にカットする機能を有しないが、ビデオ信号に含まれるノイズ成分の一部は、画像信号処理回路８においてソフト的に除去される。
【００２２】
ＡＧＣ回路７は、マイコン（ＡＧＣ電圧監視手段、平均電圧検出手段、平均電圧記憶手段、切換信号送信手段）１１に接続されており、ユーザがリモコン１２を操作して送信したチャンネル切換信号が受光部１３を介してマイコン１１に入力されると、マイコン１１がチャンネル切換信号１４、１５を、それぞれチューナ３及びＡＧＣ回路７に送信するようになっている。また、ＡＧＣ回路７は、動作モードを、チャンネル一定時の、電波レベルの変動幅が比較的小さく、変動速度も比較的小さい状態に対応するためのＡＧＣ動作が遅いモード（以下、トラッキングモード）と、チャンネル切換時の、電波レベルの変動幅が比較的大きく、変動速度も比較的大きい状態に対応するためのＡＧＣ動作が速いモード（以下、スキャンモード）に切換え可能になっている。
【００２３】
チャンネル切換信号１４を受信したチューナ３は、同調するチャンネルをチャンネル切換信号１４によって指示されたチャンネルに変更する。一方、チャンネル切換信号１５を受信したＡＧＣ回路７は、動作モードを、トラッキングモードから、一旦、スキャンモードに切換え、その後、チューナ３によるチャンネル切換が完了した後に、再びトラッキングモードに切換える。
【００２４】
さらに、マイコン１１は、ポート１１ａから入力したＲＦ・ＡＧＣ電圧５を監視し、チャンネルが一定のときに、そのチャンネルにおける平均のＲＦ・ＡＧＣ電圧と、現在のＲＦ・ＡＧＣ電圧５とを比較し、平均のＲＦ・ＡＧＣ電圧に対する現在のＲＦ・ＡＧＣ電圧５の変動幅が予め設定された値よりも大きい場合に、ＡＧＣ回路７に対してモード切換信号１６を送信するＡＧＣ電圧監視部１７を備える。
【００２５】
具体的には、ＡＧＣ電圧監視部１７は、チャンネルが一定のときのＲＦ・ＡＧＣ電圧５の平均値を検出する平均電圧検出部１８と、平均電圧検出部１８が検出した平均値Ｖａを記憶する平均電圧記憶部１９と、記憶された平均値Ｖａと現在のＲＦ・ＡＧＣ電圧とを比較するＲＦ・ＡＧＣ電圧比較部２１と、比較の結果、両者の差（電圧の変動幅）が、予めマイコン１１内のメモリ１１ｂに記憶されている（予め設定された）値よりも大きいときに、ＡＧＣ回路７に対してスキャンモードへの切換信号１６を送信するモード切換信号送信部２２と、を備える。
【００２６】
平均電圧検出部１８は、チャンネルが一定である期間に、ポート１１ａから入力されるＲＦ・ＡＧＣ電圧５を積分し、積分した値を時間平均して平均値Ｖａを算出する。チャンネルが一定であるか否かは、受光部１３を介して受信するチャンネル切換信号により判定可能である。平均電圧記憶部１９は、検出した平均値Ｖａを、チャンネル毎に対応させたテーブルに構成して記憶する。例えば、１チャンネルに対して２．２ボルト、２チャンネルに対して２．０ボルト、３チャンネルに対して２．１ボルトなどである。
【００２７】
次に、マイコン１１が実行するモード切換手順について、図２のフローチャートを参照して説明する。マイコン１１は、受光部１３を介してチャンネル切換信号を受信すると（Ｓ１でＹＥＳ）、平均電圧記憶部１９に記憶されている指示されたチャンネルの平均値Ｖａを読出し（Ｓ２）、読出した平均値Ｖａと現在のＲＦ・ＡＧＣ電圧５とを比較する（Ｓ３）。例えば、今、チャンネルが１チャンネルから２チャンネルに切換えられたとすると、マイコン１１は、平均値Ｖａ＝２．０ボルトを読出し、次にチャンネルが切換えられるまで、現在のＲＦ・ＡＧＣ電圧５と平均値Ｖａを比較し続ける。ＡＧＣ回路７は、チャンネルの切換直後には、トラッキングモードになっている。
【００２８】
そして、ＲＦ・ＡＧＣ電圧５の平均値Ｖａからの変動幅が、メモリ１１ｂに記憶された値（例えば、０．３ボルト）以上になったときに（Ｓ４でＹＥＳ）、マイコン１１は、モード切換信号１６を送信してＡＧＣ回路７を一時的にスキャンモードに切換える（Ｓ５）。変動幅がメモリ１１ｂに記憶された値を越えなければ（Ｓ４でＮＯ）、モード切換信号１６を送信せず、トラッキングモードを維持する（Ｓ６）。
【００２９】
ＲＦ・ＡＧＣ電圧５の変動及びＡＧＣ回路７の動作モードの切換のタイミングについて、図３を参照して説明する。今、チャンネルが２チャンネルに切換えられた後に、タイミングＴ１において妨害電波が生じたとすると、見掛け上の電波強度が増すので、ＲＦ・ＡＧＣ電圧５は、チューナ３の利得を下げるために低下する。具体的には、ＲＦ・ＡＧＣ電圧５は、安定した状態（約２．０ボルトを維持した状態）から低下する。そして、ＲＦ・ＡＧＣ電圧５の変動幅Ｇが、０．３ボルトを越えると（Ｔ２）、モード切換信号１６がＡＧＣ回路７へ送信されて、ＡＧＣ回路７が、チャンネル一定時であるにも関わらず、一時的にスキャンモードに切換わる。
【００３０】
チューナ３は、帯域フィルタを備えないものであることから、上記のように妨害電波が発生した状態において、ＡＧＣ回路７がトラッキングモードを維持している場合には、ディスプレイ９の画面にビートノイズが発生するが、ＡＧＣ回路７が、電波レベルの変動幅が大きく、変動速度が速い状態に対応できる追従性の高いスキャンモードに切換えられるので、画面にビートノイズが現れることが防止される。
【００３１】
その後、妨害電波が消失すると、ＲＦ・ＡＧＣ電圧５の平均値Ｖａからの変動幅Ｇが０．３ボルト以内になり、モード切換信号１６の送信が停止して、ＡＧＣ回路７が再びトラッキングモードに切換わる（Ｔ３）。この時点では、動作速度が遅いトラッキングモードに切換わっても、妨害電波は消失しているので、電波の状態が安定しており、ＲＦ信号の僅かな変動に過敏に応答することなく、良好な画面表示が得られる。
【００３２】
なお、上記ＡＧＣ回路７は、チューナ３の利得を増加させるときには、ＡＧＣ電圧を増加し、利得を減少させるときには、ＡＧＣ電圧を減少させる、いわゆるリバース制御型であったが、ＡＧＣ電圧とチューナ３の利得が逆の関係になるフォワード型の場合には、妨害電波が生じたときのＡＧＣ電圧の変動は、ＡＧＣ電圧が増加する方向への変動になる。
【００３３】
また、ＲＦ・ＡＧＣ電圧５に代えてＩＦ・ＡＧＣ電圧６をマイコン１１のポート１１ａへ入力するようにし、ＡＧＣ電圧監視部１７は、ＩＦ・ＡＧＣ電圧６を監視することにより、妨害電波の発生を検出し、検出したタイミングでＡＧＣ回路７の動作モードをスキャンモードへ切換えるようにしてもよい。
【００３４】
さらに、上記平均電圧検出部１８は、本テレビジョン受信装置１がテレビジョン放送を受信している間の、ＡＧＣ回路７が出力する実際のＲＦ・ＡＧＣ電圧５に基づいて平均値を算出するものであったが、本テレビジョン受信装置１が設置される場所が予め決定されていて、チャンネル毎の受信電波強度が予め予測できる場合には、平均電圧検出部１８に代えて、予め予測されるチャンネル毎のＲＦ・ＡＧＣ電圧の平均値Ｖａを記憶したものであってもよい。
【００３５】
またさらに、上記ＡＧＣ電圧監視部１７は、現在のＲＦ・ＡＧＣ電圧５と平均値Ｖａとの差（変動幅）がメモリ１１ｂに記憶された固定値よりも大きいときに、妨害電波が発生していると判断したが、平均値Ｖａに対する変動幅の大きさの割合が予め設定された所定の割合以上か否かに基づいて妨害電波の発生を判断するようにしてもよい。
【００３６】
以上のように、本テレビジョン受信装置１では、ＡＧＣ電圧監視部１７が、チャンネルが切換わったときに、そのチャンネルのＲＦ・ＡＧＣ電圧の平均値Ｖａと、現在のＲＦ・ＡＧＣ電圧５とを比較し、変動幅Ｇが予め設定された値より大きくなったことを検出した場合に、モード切換信号１６を送信して、チャンネル一定時であるにも拘わらず、ＡＧＣ回路７を一時的にスキャンモードに切換えるので、妨害電波が生じてもテレビ画面にビートノイズなどの障害が現れることを防止することができる。
【００３７】
また、マイコン１１が、ＲＦ・ＡＧＣ電圧５の変動に基づいて妨害電波の発生を検知したときにＡＧＣ回路７の動作モードを切換えるだけの簡単な構成であるので、新たな電子回路などのハードを設ける必要がなく、テレビジョン受信装置１の構成を複雑化することがなく、コストアップを招くことがない。さらに、チューナ３は、ＳＡＷフィルタなどの帯域フィルタを備えないものであってもよいので、テレビジョン受信装置１のコストダウンを容易に図ることができる。
【符号の説明】
【００３８】
１  テレビジョン受信装置
３  チューナ
４  ＩＦ回路（中間周波回路）
５  ＲＦ・ＡＧＣ電圧（ＡＧＣ電圧）
６  ＩＦ・ＡＧＣ電圧（ＡＧＣ電圧）
７  ＡＧＣ回路
１１  マイコン（ＡＧＣ電圧監視手段、平均電圧検出手段、平均電圧記憶手段、切換信号送信手段）
１６  モード切換信号
１７  ＡＧＣ電圧監視部
１８  平均電圧検出部
１９  平均電圧記憶部
２２  モード切換信号送信部
Ｇ  変動幅
【図１】
2012205230.tif 000003
【図２】
2012205230.tif 000004
【図３】
2012205230.tif 000005